(57)【要約】【課題】シャーシとケースとの間の位置決めが容易であり、これらの組み付けの際に、取付部材に傷が生じるのを防止可能なケース体およびケース体の組み付け方法を提供すること。【解決手段】底壁２１および該底壁２１の周縁部から立設される複数の側壁２２を有すると共に、取付部材が取り付けられるシャーシ２０と、シャーシ２０に取り付けられる取付部材４０と、シャーシ２０に取り付けられると共に、取付部材４０のうち底壁２１に対して接離する立設面４２ａ側およびこの立設面４２ａと交差する方向の天面４２ｂ側の少なくとも一方を外部に露出させるための開口部３３，３４を具備するケース３０と、シャーシ２０に設けられると共に、ケース３０のシャーシ２０に対する取り付けに際して、ケース３０の位置ずれを吸収するための取付ガイド手段２２６と、を具備している。【選択図】  図２
2009267264.tif 000002
【特許請求の範囲】
【請求項１】
底壁および該底壁の周縁部から立設される複数の側壁を有すると共に、取付部材が取り付けられるシャーシと、
上記シャーシに取り付けられると共に、上記取付部材のうち上記底壁に対して接離する立設面側およびこの立設面と交差する方向の天面側の少なくとも一方を外部に露出させるための開口部を具備するケースと、
上記シャーシに設けられ上記側壁の一部を上記底壁と向かい合う側に傾斜させることにより構成されるテーパ部を有し、上記ケースの上記シャーシに対する取り付けに際して、上記ケースの位置ずれを吸収するための取付ガイド手段と、
を具備することを特徴とするケース体。
【請求項２】
前記底壁は、平面視した場合の形状が略矩形に設けられていると共に、
前記側壁は、フロント側壁と、このフロント側壁と対向する前記周縁部に設けられるバック側壁と、を有していて、
前記テーパ部は、上記バック側壁に設けられる後方テーパ部を有していて、
上記後方テーパ部は、前記ケースの前記シャーシに対する取り付けに際して、前記ケースのうち上記フロント側壁側かつ前記底壁側を支点として前記シャーシ側に密接させて当該ケースを回動させる場合に、上記バック側壁のうち前記底壁から離間する端部に衝突可能に設けられている、
ことを特徴とする請求項１記載のケース体。
【請求項３】
前記側壁は、さらに前記フロント側壁および前記バック側壁に対して略垂直を為す前記周縁部に設けられる一対のサイド側壁を有していて、
前記テーパ部は、さらに前記サイド側壁に設けられる側方テーパ部を有していて、
この側方テーパ部により、前記ケースの前記シャーシに対する取り付けに際して、一対の上記サイド側壁を結ぶ方向の位置ずれを吸収可能としている、
ことを特徴とする請求項２記載のケース体。
【請求項４】
前記開口部には、前記取付部材の前記立設面側を外部に露出させるための周壁開口部と、前記取付部材の前記天面側を外部に露出させるための天面開口部とが存在すると共に、
前記シャーシには、上記周壁開口部に対応する位置が開放していると共に前記取付部材の側面を外部に露出させるための切欠部を有していて、
前記取付部材は、上記周壁開口部、上記天面開口部および上記切欠部を介して、外部に突出する突出部を有している、
ことを特徴とする請求項１から３のいずれか１項に記載のケース体。
【請求項５】
前記取付部材は、前記ケースのうち前記周壁開口部に隣接する部位であって前記天面開口部から離間させる部位を開口させずに残存させている縁辺を有していて、
上記縁辺は、前記突出部よりも前記天面から離間する側に位置している、
ことを特徴とする請求項４記載のケース体。
【請求項６】
底壁および該底壁の周縁部から立設されるフロント側壁および該フロント側壁と対向するバック側壁とを有すると共に、このバック側壁に上記底壁と向かい合う側に傾斜している後方テーパ部を有し、かつ取付部材が取り付けられるシャーシと、上記取付部材のうち上記底壁に対して接離する立設面側およびこの立設面と交差する方向の天面側を外部に露出させるための開口部を具備するケースと、
を具備するケース体の組み付け方法であって、
上記ケースを傾斜させて、このケースのうち上記天面から離間する側であって上記立設面を外部に露出させるための開口部が存在する周壁側を上記フロント側壁のうち上記底壁側に密接させ、
上記ケースのうち上記シャーシに密接させている部位を支点として上記ケースを回動させ、この回動によって上記開口部と対向する周壁側を上記後方テーパ部に衝突させ、
さらに上記開口部と対向する周壁側を押し込み、当該周壁および上記バック側壁を撓み変形させながら上記ケースを回動させる、
ことを特徴とするケース体の組み付け方法。
【発明の詳細な説明】
【技術分野】
【０００１】
本発明は、ケース体およびケース体の組み付け方法に関する。
【背景技術】
【０００２】
例えば、サテライトチューナラジオを始めとする、各種の電子機器においては、認証用のカートリッジが差し込まれる、樹脂成型部材が外部に露出するものがある。図５は、このようなケース体の一例を示す図である。図５に示すように、シャーシ１に取り付けられた樹脂成型部材２の側面は、側壁の間の部位に存在する周壁開口部３から、外部に露出している。また、シャーシ１には、ケース４が取り付けられる。ケース４には、周壁開口部３の他に上壁開口部５が設けられている。そのため、樹脂成型部材２の上面は、この上壁開口部５から外部に露出している。
【０００３】
ここで、シャーシ１に対してケース４を取り付ける場合、図５に示すように、ケース４をシャーシ１に向けて下降させている。このとき、目視にて、シャーシ１とケース４との間のおおまかな位置決めを行い、その後、ケース４をシャーシ１に向けて被せるように下降させ、シャーシ１とケース４との間の組み付けを行っている。
【０００４】
ところで、ケース４の周壁開口部３に、図６において破線で示されるような縁辺６が存在する場合、ケース４をシャーシ１に向けて被せる際に、当該縁辺６が樹脂成型部材２にぶつかってしまい、樹脂成型部材２を傷つけてしまう、という問題が発生する。そのため、現状の製品では、ケース４には、縁辺６が設けられていない状態となっている。
【０００５】
なお、シャーシに対してケースを組み付ける先行技術としては、特許文献１に示すものがある。
【０００６】
【特許文献１】実開平５−８５０８０号公報
【発明の開示】
【発明が解決しようとする課題】
【０００７】
上述のような縁辺が省略される構成では、ケース４のうち、特にＡ部における強度が弱くなり、そのＡ部において変形が生じ易い、という問題がある。そのため、強度面からすると、縁辺６が存在するのが好ましい。しかしながら、現状では、上述したように、組み付けの際に樹脂成型部材２に傷が生じ、製品不良となってしまう確率が高くなるので、縁辺６を設けることは困難となっている。また、縁辺６が存在しないケース４においても、目視での位置決めは難しく、そのため周壁開口部３の隅角部が樹脂成型部材２にぶつかってしまい、当該樹脂成型部材２に傷を生じさせてしまう場合がある。
【０００８】
なお、特許文献１には、シャーシとケースを組み付ける手法は開示されているものの、上述の問題を解決する手法は何等開示されていない。
【０００９】
本発明は上記の事情にもとづきなされたもので、その目的とするところは、シャーシとケースとの間の位置決めが容易であり、これらの組み付けの際に、取付部材に傷が生じるのを防止可能なケース体およびケース体の組み付け方法を提供しよう、とするものである。
【課題を解決するための手段】
【００１０】
上記課題を解決するために、本発明は、底壁および該底壁の周縁部から立設される複数の側壁を有すると共に、取付部材が取り付けられるシャーシと、シャーシに取り付けられると共に、取付部材のうち底壁に対して接離する立設面側およびこの立設面と交差する方向の天面側の少なくとも一方を外部に露出させるための開口部を具備するケースと、シャーシに設けられ側壁の一部を底壁と向かい合う側に傾斜させることにより構成されるテーパ部を有し、ケースのシャーシに対する取り付けに際して、ケースの位置ずれを吸収するための取付ガイド手段と、を具備するものである。
【００１１】
また、他の発明は、上述の発明に加えて更に、底壁は、平面視した場合の形状が略矩形に設けられていると共に、側壁は、フロント側壁と、このフロント側壁と対向する周縁部に設けられるバック側壁と、を有していて、テーパ部は、バック側壁に設けられる後方テーパ部を有していて、後方テーパ部は、ケースのシャーシに対する取り付けに際して、ケースのうちフロント側壁側かつ底壁側を支点としてシャーシ側に密接させて当該ケースを回動させる場合に、バック側壁のうち底壁から離間する端部に衝突可能に設けられているものである。
【００１２】
さらに、他の発明は、上述の発明に加えて更に、側壁は、さらにフロント側壁およびバック側壁に対して略垂直を為す周縁部に設けられる一対のサイド側壁を有していて、テーパ部は、さらにサイド側壁に設けられる側方テーパ部を有していて、この側方テーパ部により、ケースのシャーシに対する取り付けに際して、一対のサイド側壁を結ぶ方向の位置ずれを吸収可能としているものである。
【００１３】
また、他の発明は、上述の各発明に加えて更に、開口部には、取付部材の立設面側を外部に露出させるための周壁開口部と、取付部材の天面側を外部に露出させるための天面開口部とが存在すると共に、シャーシには、周壁開口部に対応する位置が開放していると共に取付部材の側面を外部に露出させるための切欠部を有していて、取付部材は、周壁開口部、天面開口部および切欠部を介して、外部に突出する突出部を有しているものである。
【００１４】
さらに、他の発明は、上述の発明に加えて更に、取付部材は、ケースのうち周壁開口部よりも天面から離間させる側を開口させずに残存させている縁辺を有していて、縁辺は、突出部よりも天面から離間する側に位置しているものである。
【００１５】
また、他の発明は、底壁および該底壁の周縁部から立設されるフロント側壁および該フロント側壁と対向するバック側壁とを有すると共に、このバック側壁に底壁と向かい合う側に傾斜している後方テーパ部を有し、かつ取付部材が取り付けられるシャーシと、取付部材のうち底壁に対して接離する立設面側およびこの立設面と交差する方向の天面側を外部に露出させるための開口部を具備するケースと、を具備するケース体の組み付け方法であって、ケースを傾斜させて、このケースのうち天面から離間する側であって立設面を外部に露出させるための開口部が存在する周壁側をフロント側壁のうち底壁側に密接させ、ケースのうちシャーシに密接させている部位を支点としてケースを回動させ、この回動によって開口部と対向する周壁側を後方テーパ部に衝突させ、さらに開口部と対向する周壁側を押し込み、当該周壁およびバック側壁を撓み変形させながらケースを回動させるものである。
【発明の効果】
【００１６】
本発明によると、シャーシとケースとの間の位置決めが容易となり、これらの組み付けの際に、取付部材に傷が生じるのを防止可能となる。
【発明を実施するための最良の形態】
【００１７】
以下、本発明の一実施の形態に係るケース体１１を具備する、サテライトチューナラジオを始めとする電子機器１０について、図１から図４に基づいて説明する。図１は、シャーシ２０とケース３０が分離された状態を示す斜視図である。図１に示すように、ケース体１１は、シャーシ２０と、ケース３０とを具備している。
【００１８】
シャーシ２０は、底壁２１と、複数の側壁２２とを有している。これらのうち、底壁２１は電子機器１０の基準となる部位であり、各種の回路基板や部材が取り付けられる。また、複数の側壁２２には、フロント側壁２２１と、サイド側壁２２２Ａ，２２２Ｂと、バック側壁２２３とが存在する。これらのうち、フロント側壁２２１は、本実施の形態では、図１において、シャーシ２０の前面のうち、左側の部位にのみ設けられている。そのため、フロント側壁２２１の矢示Ｘ方向における長さ寸法は、当該シャーシ２０の前面のＸ方向に沿う幅寸法よりも十分に小さく設けられている。それによって、シャーシ２０の前面のうち、フロント側壁２２１が存在しない部位には、切欠部２２４が形成される状態となっている。
【００１９】
なお、本実施の形態では、フロント側壁２２１の長さ寸法は、シャーシ２０の前面の幅寸法の１／２以下となっている。また、フロント側壁２２１の高さ寸法（矢示Ｚ方向における寸法）は、ケース３０を組み付けた際の、当該ケース３０の高さ方向の位置決めが為される程度の高さ寸法となっている。
【００２０】
また、一対のサイド側壁２２２Ａ，２２２Ｂは、シャーシ２０の底壁２１のうち、Ｘ方向におけるそれぞれの端部に設けられていて、Ｙ方向に沿うように設けられている。また、サイド側壁２２２の高さ寸法は、フロント側壁２２１と同程度となっていて、ケース３０の高さ方向の位置決めを行うことが可能となっている。加えて、サイド側壁２２２Ａ，２２２Ｂの上方側には、取付ガイド手段およびテーパ部の一部に相当する側方テーパ部２２５が設けられている。側方テーパ部２２５は、ケース３０をシャーシ２０に組み付ける際の、Ｘ方向におけるガイドとして機能する部位である。
【００２１】
この側方テーパ部２２５は、サイド側壁２２２Ａ，２２２Ｂのうち側方テーパ部２２５以外の部位に対して、所定の角度α（図１参照）だけ傾斜している。しかも、側方テーパ部２２５は、上方に向かうにつれて、他方のサイド側壁２２２Ｂ，２２２Ａに徐々に近接する向きに傾斜している。なお、側方テーパ部２２５が側方テーパ部２２５以外のサイド側壁２２２Ａ，２２２Ｂと為す、所定の角度αの角度範囲として好適なものとしては、５〜１５度とするものがある。しかしながら、側方テーパ部２２５の傾斜角度αは、これには限られず、１５度以上の９０度未満の傾斜角度を有していても良い。
【００２２】
また、側方テーパ部２２５は、サイド側壁２２２の高さ方向のうち、底壁から２／３以上の高さとなっている位置から、傾斜している。しかしながら、側方テーパ部２２５の傾斜が開始される位置（側方テーパ部２２５の付け根の位置）は、底壁から２／３以上の高さ位置には限られず、種々設定可能である。
【００２３】
また、図１に示す例では、サイド側壁２２２Ａ，２２２Ｂは、シャーシ２０のＹ方向（奥行き方向）の全体に亘って設けられる必要はなく、部分的に存在しているが、奥行き方向の全体に亘って設けるようにしても良い。加えて、左右のサイド側壁２２２Ａ，２２２Ｂは、右側のサイド側壁２２２Ａの途中部分に切り欠いた部分が存在するのに対して左側のサイド側壁２２２Ｂに切り欠いた部分が存在しない等、左右で異なる形状となっているが、左右で同一の形状としても良い。
【００２４】
また、バック側壁２２３は、図１および図２に示すように、底壁２１の背面側に設けられている。このバック側壁２２３は、その高さ寸法が、後述する後方テーパ部２２６を含めても、フロント側壁２２１、サイド側壁２２２Ａ，２２２Ｂよりも低く設けられている。しかしながら、後方テーパ部２２６がケース３０の取り付けの際のガイドとして機能するものであれば、バック側壁２２３の高さ寸法は、フロント側壁２２１およびサイド側壁２２２Ａ，２２２Ｂと同程度であっても良い。
【００２５】
図１および図２に示すように、バック側壁２２３の上方側にも、サイド側壁２２２Ａ，２２２Ｂと同様に、取付ガイド手段およびテーパ部の一部に相当する後方テーパ部２２６が設けられている。後方テーパ部２２６は、その上方側に向かうにつれて、フロント側壁２２１に徐々に近接する向きに傾斜している。ここで、バック側壁２２３の後方テーパ部２２６は、サイド側壁２２２Ａ，２２２Ｂの後方テーパ部２２６に対して、その傾斜角度β（図２参照）が大きく設けられている。この傾斜角度βの一例としては、４０度とするものがある。しかしながら、後方テーパ部２２６の傾斜角度βは、これには限られない。なお、傾斜角度βの好適な範囲としては、２５度〜５５度とするものがある。
【００２６】
また、後方テーパ部２２６の高さ方向に向かう突出寸法は、図２に示すようにケース３０を回動させた場合に、ケース３０の下端部が衝突する程度に設けられている。なお、本実施の形態では、ケース３０の下端部を後方テーパ部２２６に確実に衝突させるべく、後方テーパ部２２６の長さ寸法は、所定の余裕を持つ長さ寸法に設けられている。
【００２７】
また、本実施の形態では、後方テーパ部２２６は、Ｘ方向に沿って２つ設けられている。しかしながら、後方テーパ部２２６の個数は、２つには限られず、３つ以上存在していても良く、１つのみ存在していても良い。
【００２８】
続いて、ケース３０の構成について説明する。ケース３０は、上壁３１と、複数の周壁３２とを有している。また、周壁３２には、フロント周壁３２１と、サイド周壁３２２Ａ，３２２Ｂと、バック周壁３２３とが設けられている。そのため、ケース３０は、下方が開放している箱形状に設けられている。また、ケース３０のうち、上壁３１には、天面開口部３３（開口部の一部に相当）が設けられていて、さらにフロント周壁３２１には、周壁開口部３４（開口部の一部に相当）が設けられている。これら天面開口部３３と周壁開口部３４とは、互いに位置合わせされた状態で連なっている。そのため、樹脂成型部材４０を取り付けた場合に、当該樹脂成型部材４０が外部に露出可能となっている。
【００２９】
ここで、フロント周壁３２１のうち、周壁開口部３４の下方には、縁辺３５（取付ガイド手段の一部に相当）が存在している。すなわち、本実施の形態では、図５に示すような周壁開口部（縁辺が存在しないもの）とは異なり、周壁開口部３４は下端まで突っ切らなく、フロント周壁３２１の下端から所定だけ上側の部位まで形成されている。
【００３０】
なお、シャーシ２０および／またはケース３０には、その他、切り欠き、孔部、ネジ孔、リブ等が、必要に応じて種々形成されている。
【００３１】
図３に示す樹脂成型部材４０は、取付部材に対応し、図４に示すように、シャーシ２０に取り付けられる。この樹脂成型部材４０は、樹脂を材質とする成型品であり、シャーシ２０の孔部に対して例えばネジを介して取り付けられる。また、樹脂成型部材４０は、前面側（フロント側）および上面側のそれぞれに、周縁部４１と、露出部４２とを有している。これらのうち、周縁部４１は、ケース３０の裏面側に接触する部位である。また、露出部４２は、突出部に相当し、周縁部４１よりも前方または上方に向かって突出して設けられている。そのため、周縁部４１と露出部４２との間には、段差が設けられている。
【００３２】
ここで、露出部４２のうち、フロント側の露出部４２ａ（立設面に相当）は、ケース３０のフロント周壁３２１の前面３２１ａと面一か、または前面３２１ａよりも前方側に向かって僅かに突出するように設けられている。加えて、上面側の露出部４２ｂ（天面に相当）は、ケース３０の上壁３１の上面３１ａと面一か、または上面３１ａよりも上方に向かって僅かに突出するように設けられている。
【００３３】
また、樹脂成型部材４０は、カートリッジ読み取り部の構成要素の一部である。そのため、樹脂成型部材４０には、認証用のカートリッジが差し込まれる、差し込み部４３が設けられている。かかるカートリッジの差し込みを実現すべく、樹脂成型部材４０は、フロント側および上面側に露出する構成となっている。
【００３４】
＜組み付け方法に関して＞
以上のような構成を有する、電子機器１０のケース体１１を組み付ける、組み付け方法について、以下に説明する。
【００３５】
まず、樹脂成型部材４０を始めとする、各種の部材をシャーシ２０に取り付ける。すると、樹脂成型部材４０は、シャーシ２０のフロント側壁２２１の前面２２１ａよりも、若干前方に突出する状態となる。この状態で、シャーシ２０の組付けを行う。その組み付けに際しては、ケース３０とシャーシ２０のＸ方向におけるおおまかな位置合わせを行う（図１参照）。
【００３６】
その後、ケース３０のうち、縁辺３５側を最も下となるようにケース３０を傾けて、さらにケース３０をシャーシ２０に向けて下降させる。すると、ケース３０とシャーシ２０との間で、幅方向（Ｘ方向）における位置ずれが生じている場合、側方テーパ部２２５には、サイド周壁３２２Ａ，３２２Ｂの下端部が衝突する。その衝突後、さらにケース３０を下降させると、当該ケース３０は、側方テーパ部２２５によってガイドされ、幅方向（Ｘ方向）における位置ずれが吸収される。
【００３７】
ここで、上述のようにケース３０を下降させる場合、縁辺３５がフロント側壁２２１と接触しないよう、縁辺３５をフロント側壁２２１よりも前方側に位置させる。そして、ケース３０の下降が終了した後に、縁辺３５がフロント側壁２２１に接触するように、ケース３０を後方にずらすようにする。しかしながら、ケース３０を後方にずらさないようにしても良い。また、かかるケース３０の下降が終了した後に、縁辺３５を樹脂成型部材４０の下側に位置させる。このとき、図２において破線で示すように、フロント周壁３２１と上壁３１とが為す隅角部Ｃが、最も前側に位置する状態で、縁辺３５を樹脂成型部材４０の下側に位置させる。
【００３８】
続いて、ケース３０を、図２において時計回りとなる向きに回動させる。このとき、縁辺３５がシャーシ２０に接触する状態を維持し、この縁辺３５の下辺が回動の支点となるようにする。すると、バック周壁３２３の下端部３２３ａの描く軌跡は、円弧状となる。また、下端部３２３ａが円弧状の軌跡を描きながらケース３０が所定だけ回動したときに、下端部３２３ａが後方テーパ部２２６に衝突する。この衝突後、さらにケース３０の回動を継続すると、後方テーパ部２２６を含めたバック側壁２２３は奥行き方向で手前側に撓むと共に、ケース３０のバック周壁３２３は奥行き方向の奥側に撓む。
【００３９】
なお、かかる撓みが発生する際には、縁辺３５側は、撓みの反力によって上方に向かって浮き上がろうとする。しかしながら、縁辺３５がシャーシ２０に接触する状態を維持すれば、縁辺３５の上辺側が露出部４２ａの下端にぶつかる。すなわち、縁辺３５が露出部４２ａの下端に引っ掛かり、ケース３０のうち縁辺３５側の浮き上がりが防止される。
【００４０】
そして、回動の継続により、下端部３２３ａが後方テーパ部２２６の付け根の部分を通過した後には、回動するにつれてバック側壁２２３およびバック周壁３２３の撓みは徐々に少なくなる。そして、回動するにつれて、天面開口部３３の縁部の裏側が、露出部４２ｂの上側よりも低くなり、最終的には天面開口部３３の裏側が、周縁部４１に接触する。ケース３０の回動において、天面開口部３３の縁部は、露出部４２ｂに衝突しない状態となっている。また、天面開口部３３の裏側が、周縁部４１に接触する最終的な状態では、ケース３０がシャーシ２０に対して平行となるが、このとき、バック側壁２２３およびバック周壁３２３の撓みが存在しない状態となる。
【００４１】
その後、ネジ等によって、ケース３０とシャーシ２０との間を固定し、その他必要な部材の取り付けを行う。それにより、電子機器１０が完成する。
【００４２】
＜本発明の適用による効果＞
以上のような構成のケース体１１、およびケース体１１の組み付け方法によれば、後方テーパ部２２６を有している。このため、下端部３２３ａを後方テーパ部２２６に衝突させ、さらにケース３０を回動させながら取り付ければ、ケース３０の多少の位置ずれを吸収しつつ、ケース体１１を組み付けることが可能となる。その際、樹脂成型部材４０の露出部４２にケース３０が接触するのを防止しつつ、ケース３０をシャーシ２０に取り付けることが可能となる。そのため、ケース３０によって露出部４２に傷を生じさせるのを防止可能となり、製品不良となるのを防止可能となる。
【００４３】
また、本実施の形態では、ケース３０に縁辺３５が存在している。そのため、ケース３０の強度を維持可能となっている。特に、ケース３０に変形が生じ難いため、当該ケース３０の初期の形状を維持可能となるので、シャーシ２０にケース３０を取り付ける際に、ケース３０の変形による位置ずれが生じてしまい、樹脂成型部材４０に傷が生じてしまう、といった事態を防止することが可能となる。加えて、縁辺３５が存在する構成でありながらも、ケース３０をシャーシ２０に取り付ける際に、樹脂成型部材４０に傷が生じるのを防止可能となっている。
【００４４】
また、本実施の形態のように、天面開口部３３および周壁開口部３４といった、２面に亘って開口部を有するケース３０であっても、露出部４２に傷が生じない状態で簡易に取り付けることが可能となる。
【００４５】
さらに、本実施の形態では、シャーシ２０には、側方テーパ部２２５も設けられている。そのため、ケース３０の幅方向（Ｘ方向）における位置ずれも、側方テーパ部２２５によって吸収可能となり、シャーシ２０にケース３０を取り付ける場合に、良好にガイド可能となる。
【００４６】
また、本実施の形態では、縁辺３５を露出部４２ａの下端に当接させ（引っ掛けて）、その後、縁辺３５の下端側の当接部位を支点として、ケース３０を回動させて、ケース３０のシャーシ２０に対する組み付けを行うようにしている。そのため、組み付け方法を簡素化することが可能となり、生産効率を向上させることが可能となる。
【００４７】
さらに、本実施の形態では、後方テーパ部２２６の傾斜角度βは、側方テーパ部２２５の傾斜角度αよりも大きく設けられている。そのため、後方テーパ部２２６は、下端部３２３ａに衝突し易い状態となり、ケース３０のシャーシ２０に対する組み付けを良好にガイドさせることが可能となる。
【００４８】
＜変形例＞
以上、本発明の一実施の形態について説明したが、本発明はこれ以外にも種々変形可能となっている。以下、それについて述べる。
【００４９】
上述の実施の形態においては、ケース体１１をサテライトチューナラジオを始めとする電子機器１０に適用した場合について述べている。しかしながら、ケース体１１は、サテライトチューナラジオを始めとする電子機器１０に適用される場合には限られず、樹脂成型部材４０のような取付部材が突出する状態で露出させる必要のある、各種機器に適用することが可能となる。
【００５０】
なお、サテライトチューナラジオ以外の電子機器１０の例としては、オーディオ装置、カーナビゲーション装置、携帯電話装置を始めとする無線装置、カードリーダ装置、映像や音声を記録可能な情報記録装置、電源装置、コンピュータ等がある。また、電子機器１０以外の機器としては、各種の物を収納するための収納機器、各種のおもちゃ等がある。
【００５１】
また、上述の実施の形態では、ケース３０は、天面開口部３３および周壁開口部３４の２面の開口部を有する構成となっている。しかしながら、樹脂成型部材４０が、１面のみ露出させれば良い構成の場合、天面開口部３３または周壁開口部３４のいずれか一方の開口部のみを備える構成としても良い。
【００５２】
さらに、上述の実施の形態では、取付ガイド手段には、側方テーパ部２２５、後方テーパ部２２６、および縁辺３５が相当している。しかしながら、これらのうち、少なくとも後方テーパ部２２６が存在すれば良く、そのため後方テーパ部２２６のみが存在する構成を採用しても良い。この場合には、後方テーパ部２２６が取付ガイド手段に相当する。
【００５３】
また、上述の実施の形態では、取付部材として樹脂成型部材４０を用いる場合について説明している。しかしながら、取付部材は、樹脂成型部材４０には限られず、種々のものを適用可能である。例えば、ガラス製品、表面にめっき等のコーティングが施された製品、表面が研磨加工が施された製品等が代表例として挙げられる。
【００５４】
また、上述の実施の形態における縁辺３５を省略する構成を採用しても良い。
【産業上の利用可能性】
【００５５】
本発明のケース体およびケース体の組み付け方法は、サテライトチューナラジオを始めとする各種の機器の分野において利用することができる。
【図面の簡単な説明】
【００５６】
【図１】本発明の一実施の形態に係るケース体の構成を示す分解斜視図である。
【図２】ケース体の組み付けの途中段階を示す側面図である。
【図３】樹脂成型部材の構成を示す斜視図である。
【図４】ケース体の組み付けの途中段階を示す斜視図である。
【図５】従来のケース体の組み付け方法を示す斜視図である。
【図６】従来のケースの構成を示す斜視図である。
【符号の説明】
【００５７】
１０…電子機器
１１…ケース体
２０…シャーシ
２１…底壁
２２…側壁
２２１…フロント側壁
２２２Ａ，２２２Ｂ…サイド側壁
２２３…バック側壁
２２４…切欠部
２２５…側方テーパ部（取付ガイド手段およびテーパ部の一部に相当）
２２６…後方テーパ部（取付ガイド手段およびテーパ部の一部に相当）
３０…ケース
３１…上壁
３２…周壁
３２１…フロント周壁
３２２Ａ，３２２Ｂ…サイド周壁
３２３…バック周壁
３３…天面開口部（開口部の一部に相当）
３４…周壁開口部（開口部の一部に相当）
３５…縁辺（取付ガイド手段の一部に相当）
４０…樹脂成型部材（取付部材に相当）
４１…周縁部
４２…露出部
Ｃ…隅角部
【図１】
2009267264.tif 000003
【図２】
2009267264.tif 000004
【図３】
2009267264.tif 000005
【図４】
2009267264.tif 000006
【図５】
2009267264.tif 000007
【図６】
2009267264.tif 000008